(57)【要約】【課題】基地局のパラメータの設定を容易に行うことが可能なＥＭＳを提供する。【解決手段】ＥＭＳ１０は、基地局１２が端末１４と無線接続するための設定を基地局１２に対して行うＥＭＳであって、基地局１２から送信されたパケットに基づいた処理をする処理部１６を備える。処理部１６は、前記パケットに基づいて基地局１２を設定するための設定画面を表示させることにより、基地局１２のパラメータの設定を容易に行うことできる。また、前記パケットは、基地局１２の動作状態を表すメッセージと、基地局１２が端末１４と無線接続するためのパラメータの設定状態を表す設定フラグと、基地局１２を再起動したときの自動的な電波送信の可否を設定する自動停波解除フラグとを有する。【選択図】図２
2010103686.tif 000002
【特許請求の範囲】
【請求項１】
基地局が端末と無線接続するためのパラメータの設定を前記基地局に対してネットワークを介して行うＥＭＳであって、
電源が投入されて起動した前記基地局から前記ネットワークを介して送信されたパケットに基づいた処理をする処理部を備え、
前記処理部は、前記パケットに基づいて前記パラメータの設定をするための設定画面を表示する
ことを特徴とするＥＭＳ。
【請求項２】
請求項１記載のＥＭＳにおいて、
前記パケットは、
前記基地局の動作状態を表すメッセージと、
前記基地局が前記端末と無線接続するためのパラメータの設定状態を表す設定フラグと、
前記基地局を再起動したときの自動的な電波送信の可否を設定する自動停波解除フラグと、
を有する
ことを特徴とするＥＭＳ。
【請求項３】
請求項１又は２記載のＥＭＳにおいて、
前記処理部は、
前記基地局が前記端末と無線接続するためのパラメータの設定が完了した後に、
前記基地局の動作状態を確認するためにテストモードに移行する
ことを特徴とするＥＭＳ。
【請求項４】
請求項３記載のＥＭＳにおいて、
前記処理部は、
前記テストモードが終了した後に、前記基地局の動作状態を電源投入後の起動状態に戻す
ことを特徴とするＥＭＳ。
【発明の詳細な説明】
【技術分野】
【０００１】
本発明は、基地局が端末と無線接続するための設定を前記基地局に対して行うＥＭＳに関する。
【背景技術】
【０００２】
次世代の高速移動体通信方式としてＷｉＭＡＸ(Worldwide Interoperability for Microwave Access)が国際的に注目を集め、このＷｉＭＡＸにおいてモバイルＩＰを適用したシステムの導入が開始されている。
【０００３】
このＷｉＭＡＸでは、端末が無線接続する基地局が多数設置される。この基地局を設置する際には、基地局毎に種々のパラメータを設定する必要があり、この設定は通常、ＥＭＳ(Element Management System)によって行われる。
【０００４】
【非特許文献１】WiMAX FORUM 「Recommendations and Requirements for WiMAX Network Management」  ２００８年６月２６日
【発明の開示】
【発明が解決しようとする課題】
【０００５】
しかしながら、前記基地局のパラメータの設定条件は、無線接続する端末数や設置場所等によって基地局毎に異なり、また、設定すべき基地局は多数にあるために設定者の負担が大きい。
【０００６】
本発明は、上記の課題を考慮してなされたものであって、基地局のパラメータの設定を容易に行うことが可能なＥＭＳを提供することを目的とする。
【課題を解決するための手段】
【０００７】
本発明に係るＥＭＳは、基地局が端末と無線接続するためのパラメータの設定を前記基地局に対してネットワークを介して行うＥＭＳであって、電源が投入されて起動した前記基地局から前記ネットワークを介して送信されたパケットに基づいた処理をする処理部を備え、前記処理部は、前記パケットに基づいて前記パラメータの設定をするための設定画面を表示することを特徴とする。これにより、基地局のパラメータの設定を容易に行うことできる。
【０００８】
また、前記パケットは、前記基地局の動作状態を表すメッセージと、前記基地局が前記端末と無線接続するためのパラメータの設定状態を表す設定フラグと、前記基地局を再起動したときの自動的な電波送信の可否を設定する自動停波解除フラグと、を有する。
【０００９】
さらに、前記処理部は、前記基地局が前記端末と無線接続するためのパラメータの設定が完了した後に、前記基地局の動作状態を確認するためにテストモードに移行する。
【００１０】
さらにまた、前記処理部は、前記テストモードが終了した後に、前記基地局の動作状態を電源投入後の起動状態に戻す。
【発明の効果】
【００１１】
本発明のＥＭＳによれば、前記基地局から送信されたパケットに基づいた処理をする処理部は、前記パケットに基づいて前記基地局を設定するための設定画面を表示することにより、基地局のパラメータの設定を容易に行うことができる。
【発明を実施するための最良の形態】
【００１２】
以下、本発明の実施形態について図面を参照して説明する。図１は、本発明の実施形態に係るＥＭＳ１０と、前記ＥＭＳ１０によって設定される基地局１２の説明図であり、図２は、ＥＭＳ１０による基地局１２の設定の説明図である。
【００１３】
ＥＭＳ１０はパソコン等で構成され、基地局（ＢＳ）１２が端末（ＭＳ）１４と無線接続するためのパラメータの設定を行う。ＥＭＳ１０は、基地局１２のパラメータの設定を主として行う処理部１６と、後述するＢＳコンフィグレーション画面１００、ＢＳコントロール画面２００、テスト画面３００を表示する表示部１８とを備える。基地局１２は、端末１４と無線通信するための無線装置であり、端末１４は、通信機能を有するコンピュータや携帯電話等である。ＥＭＳ１０と基地局１２とはインターネットやＷＡＮで構成されるネットワーク２０を介して接続されている。
【００１４】
次に、ＥＭＳ１０による基地局１２のパラメータ設定について、図２に基づいて説明する。
【００１５】
まず、ＥＭＳ１０では、管理対象となる基地局１２の名称、ＩＤ、ＩＰアドレス等の基本情報が登録され（ステップＳ１）、また、基地局１２の電源を投入して起動し（ステップＳ２）、その後にＥＭＳ１０が基地局１２との通信を開始する（ステップＳ３）。ＥＭＳ１０と基地局１２との間では所定間隔でネットワーク２０を介してパケットの送受信がされ、基地局１２の動作状態、基地局１２が端末１４と無線接続するためのパラメータの設定状態、基地局１２が端末１４に対して送信する電波の送信状態の確認をするためのポーリングがされる（ステップＳ４）。基地局１２からＥＭＳ１０に送信されるパケットには、基地局１２の動作状態を意味するメッセージ、基地局１２が端末１４と無線接続するためのパラメータの設定状態を表す設定フラグ、基地局１２を再起動したときの自動的な電波送信の可否を設定する自動停波解除フラグが含まれている。
【００１６】
ＥＭＳ１０の処理部１６は、前記パケットの内容を確認し、設定フラグがＯＦＦ、すなわち、基地局１２が端末１４と無線接続するための設定がされていない場合に、基地局１２が端末１４と無線接続するためのパラメータの設定をするためのＢＳコンフィグレーション画面１００を表示部１８に表示させる（ステップＳ５）。
【００１７】
図３は表示部１８に表示されるＢＳコンフィグレーション画面１００の説明図である。ＢＳコンフィグレーション画面１００には、基地局１２を適切に作動させるために必要な共通の値が設定されたパラメータ群であるＢＳ共通プロファイル設定欄１０２及び基地局１２に対して個別に設定するためのＢＳ個別プロファイル設定欄１０４が設けられる。ＢＳ共通プロファイル設定欄１０２では、複数のＢＳ共通プロファイルファイルが選択可能に設定される。また、ＢＳ個別プロファイル設定欄１０４には、新しいＢＳ個別プロファイルファイルを作成するか又は既にＢＳ個別プロファイルファイルが作成されていた場合には、そのＢＳ個別プロファイルファイルをインポートするかのいずれかを選択する入力方法選択欄１０６と、周波数等のパラメータを個別に選択してＢＳ個別プロファイルファイルを作成するＢＳ個別プロファイルファイル作成欄１０８と、インポートするＢＳ個別プロファイルファイルを特定するファイルインポート欄１１０と、ＢＳ個別プロファイルファイルに名前を付けて保存するためのＢＳ個別プロファイル保存欄１１２とが設けられている。
【００１８】
ＢＳ個別プロファイルファイル作成欄１０８には、基地局１２が送信する無線周波数を設定する「Frequency」設定欄と、基地局１２が送信する無線出力レベルを設定する「Tx Power」設定欄と、基地局１２が送信する場合の送信アンテナの利得を設定する「Tx Antenna Gain」設定欄と、ＢＳ個別プロファイルに対して個別のＩＤを設定する「Bs Info Individual Profile No」設定欄と、基地局１２が受信する場合の受信アンテナの利得を設定する「Rx Antenna Gain」設定欄と、Zoneに対して割り当たる上りのサブキャリアを設定する「UL Permutation Base」設定欄、下りフレームと同期するためのプリアンブルを設定する「DL preamble Id」設定欄と、基地局１２に備えられているZoneテーブルのIndexを選択する「Zone Index」選択欄、下りサブフレームを分割するセグメント数を設定する「Segment Number」設定欄、Zoneに対して割り当たる下りのサブキャリアを設定する「DL Permutation Base」設定欄、基地局１２と隣接する他の基地局１２のＩＤを設定する「Neighbor BS ID」設定欄、基地局１２と隣接する他の基地局１２のＩＰアドレスを設定する「Neighbor BS IP Address」設定欄が設けられている。
【００１９】
基地局１２が端末１４と無線接続するためのパラメータであるＢＳプロファイルは、ＢＳ共通プロファイルとＢＳ個別プロファイルファイルとから構成される。ＢＳ共通プロファイルをＢＳ共通プロファイル設定欄１０２で選択するとともに、ＢＳ個別プロファイル設定欄１０４に対して、操作者がパラメータを入力することにより処理部１６でＢＳ個別プロファイルファイルが作成され、ＢＳプロファイルが作成される（ステップＳ６）。なお、ＢＳ個別プロファイルファイルについては、操作者がパラメータを入力して作成せずに、ファイルインポート欄１１０で選択し、ＢＳ個別プロファイルファイルをインポートするようにしてもよい。また、作成されたＢＳ個別プロファイルファイルは名前を付けてＢＳ個別プロファイル保存欄１１２で保存ボタンを押して保存し、ファイルインポート欄１１０で選択するインポートの対象としてもよい。
【００２０】
作成されたＢＳプロファイルは、ＢＳコンフィグレーション画面１００に設定されているＯＫボタン１１４を押すことにより基地局１２に対して送信され（ステップＳ７）、送信された前記ＢＳプロファイルに基づいて基地局１２の各種パラメータが設定される（ステップＳ８）。
【００２１】
さらに、ＥＭＳ１０と基地局１２との間でポーリングが行われ（ステップＳ９）、ＥＭＳ１０の処理部１６は、前記パケットの内容を確認し、設定フラグがＯＮ、すなわち、基地局１２にパラメータが設定されている場合にはＢＳコンフィグレーション画面１００を消去する（ステップＳ１０）。次に、処理部１６は、基地局１２から端末１４への電波の送信の開始又は停波、電波送信のテストについて管理するＢＳコントロール画面２００を表示部１８に表示させる（ステップＳ１１）。
【００２２】
図４は表示部１８に表示されるＢＳコントロール画面２００の説明図である。ＢＳコントロール画面２００には、基地局１２から端末１４への電波の送信の開始、停波（サービス）又は電波送信のテストを選択するサービスモード選択欄２０２と、基地局１２を再起動した際に、自動的な電波送信の可否を設定する自動停波解除フラグ設定欄２０４と、ＢＳプロファイルを再設定するためにＢＳコンフィグレーション画面１００を呼び出すためのＢＳ設定ボタン２０６、ＯＫボタン２０８とが設定されている。
【００２３】
基地局１２から端末１４への電波の送信を開始する場合には、操作者は電波の送信を開始するためにサービスモード選択欄２０２で「サービス」を選択し、自動停波解除フラグ設定欄２０４でＯＮを選択して、処理部１６によって送信開始データが作成される（ステップＳ１２）。前記送信開始データはＢＳコントロール画面２００に設定されているＯＫボタン２０８を押すことにより基地局１２に対して送信される（ステップＳ１３）。その後に、ＥＭＳ１０と基地局１２との間でポーリングが行われ（ステップＳ１４）、基地局１２からＥＭＳ１０に送信されるパケットに含まれる基地局１２の動作状態を意味するメッセージが「サービス」であることが確認できた場合には、ＢＳコントロール画面２００が消去される（ステップＳ１５）。ＥＭＳ１０から送信された送信開始データを受信した基地局１２では端末１４に対する電波の送信が開始され（ステップＳ１６）、ＥＭＳ１０による基地局１２の設定が終了する。
【００２４】
なお、ステップＳ１２において作成された送信開始データがステップＳ１３でＥＭＳ１０から基地局１２に送信されて、基地局１２の自動停波解除フラグがＯＮと設定されている。自動停波解除フラグがＯＮと設定された場合には、基地局１２から電波送信中に、何らかの理由、例えば、落雷による停電が原因で基地局１２が再起動されたときには基地局１２から電波が送信される。一方、自動停波解除フラグがＯＦＦと設定された場合には、基地局１２が再起動されたときには基地局１２から電波は送信されない。
【００２５】
次に、基地局１２から端末１４への電波の送信を開始する前に、基地局１２のテストをする場合について、図５を用いて説明する。図５は、ＥＭＳ１０による基地局１２のテストの説明図である。なお、ステップＳ１〜ステップＳ１１までは図２と同様である。
【００２６】
ＥＭＳ１０と基地局１２との間でポーリングが行われ、ＢＳコンフィグレーション画面１００が消去された後に、ＢＳコントロール画面２００が表示部１８に表示された状態（ステップＳ９〜Ｓ１１）において、操作者はサービスモード選択欄２０２で「テスト」を選択する（ステップＳ１５）。なお、サービスモード選択欄２０２で「テスト」が選択されると、自動停波解除フラグ設定欄２０４では自動的に「ＯＦＦ」が選択される。
【００２７】
サービスモード選択欄２０２で「テスト」が選択され、ＢＳコントロール画面２００に設定されているＯＫボタン２０８が押されると（ステップＳ１７）、基地局１２に対してテストモードを開始する旨のデータが送信され、基地局１２が応答してＥＭＳ１０に対して送信したパケット中の基地局１２の動作状態を意味するメッセージが「テスト」であることが確認できた場合（ステップＳ１８）にＢＳコントロール画面２００が消去される（ステップＳ１９）。
【００２８】
次に、図示しない基地局のTopology画面で表示されている複数の基地局の中でテスト対象である基地局が選択されると、テスト画面３００が表示部１８に表示される（ステップＳ２０）。
【００２９】
図６は表示部１８に表示されるテスト画面３００の説明図である。テスト画面３００には、基地局１２が複数の送信系統のテストに対応して、１系ＲＦテスト選択欄３０２、送信出力（１系ＲＦ）設定欄３０４、２系ＲＦテスト選択欄３０６、送信出力（２系ＲＦ）設定欄３０８が設けられ、さらに、周波数を設定する周波数設定欄３１０、Ａｐｐｌｙボタン３１２、テスト終了ボタン３１４が設けられている。
【００３０】
１系ＲＦテスト選択欄３０２、２系ＲＦテスト選択欄３０６の各々では、通常、ＣＷ、バースト通信、受信固定、ループモードの各送信パターンが用意され、送信出力（１系ＲＦ）設定欄３０４、送信出力（２系ＲＦ）設定欄３０８で送信出力を設定し、周波数設定欄３１０で送信周波数を設定する。
【００３１】
ＥＭＳ１０による基地局１２のテストは、操作者がテスト画面でテスト対象である送信系統を選択し、例えば、１系統を選択する場合には、１系ＲＦテスト選択欄３０２で送信パターンを選択するとともに、送信出力（１系ＲＦ）設定欄３０４で送信出力を設定することにより、処理部１６によってテスト条件データが作成される（ステップＳ２１）。前記テスト条件データはＡｐｐｌｙボタン３１２を押すことにより基地局１２に対して送信されて基地局１２は、テストモードに移行する。基地局１２がテスト条件データによって正常に動作することが確認されると、基地局１２からＥＭＳ１０に対して応答メッセージが送信される（ステップＳ２２）。
【００３２】
操作者は、基地局１２でのテストが正常であることを確認した後にテスト終了ボタン３１４を押し（ステップＳ２３）、その後にテスト画面３００が消去される（ステップＳ２４）。
【００３３】
テスト画面３００が消去された後に、ステップＳ１の基地局１２の電源投入後の起動状態であって、ＥＭＳ１０のステップＳ５の直前の状態に戻る。
【００３４】
以上説明したように、ＥＭＳ１０は、基地局１２が端末１４と無線接続するための設定を基地局１２に対して行うＥＭＳであって、基地局１２から送信されたパケットに基づいた処理をする処理部１６を備える。処理部１６は、前記パケットに基づいて基地局１２を設定するための設定画面を表示させることにより、基地局１２のパラメータの設定を容易に行うことができる。
【００３５】
また、前記パケットは、基地局１２の動作状態を表すメッセージと、基地局１２が端末１４と無線接続するためのパラメータの設定状態を表す設定フラグと、基地局１２を再起動したときの自動的な電波送信の可否を設定する自動停波解除フラグとを有する。
【００３６】
さらに、処理部１６は、基地局１２が端末１４と無線接続するためのパラメータの設定が完了した後に、基地局１２の動作状態を確認するためにテストモードに移行し、また、処理部１６は、前記テストモードが終了した後に、基地局１２の動作状態を電源投入後の起動状態に戻す。
【００３７】
なお、本発明は、上述の実施形態に限らず、本発明の要旨を逸脱することなく、種々の構成を採り得ることはもちろんである。
【図面の簡単な説明】
【００３８】
【図１】本発明の実施形態に係るＥＭＳと前記ＥＭＳによって設定される基地局の説明図である。
【図２】ＥＭＳによる基地局の設定の説明図である。
【図３】表示部に表示される基地局設定画面の説明図である。
【図４】表示部に表示される基地局管理画面の説明図である。
【図５】ＥＭＳによる基地局のテストの説明図である。
【図６】表示部に表示されるテスト画面の説明図である。
【符号の説明】
【００３９】
１０…ＥＭＳ                          １２…基地局
１４…端末                            １６…処理部
１８…表示部                          ２０…ネットワーク
１００…ＢＳコンフィグレーション画面  １０２…ＢＳ共通プロファイル設定欄
１０４…ＢＳ個別プロファイル設定欄    １０６…入力方法選択欄
１０８…ＢＳ個別プロファイルファイル作成欄
１１０…ファイルインポート欄          １１２…ＢＳ個別プロファイル保存欄
１１４、２０８…ＯＫボタン            ２００…ＢＳコントロール画面
２０２…サービスモード選択欄          ２０４…自動停波解除フラグ設定欄
２０６…ＢＳ設定ボタン                ３００…テスト画面
３０２…１系ＲＦテスト選択欄          ３０４…送信出力（１系ＲＦ）設定欄
３０６…２系ＲＦテスト選択欄          ３０８…送信出力（２系ＲＦ）設定欄
３１０…周波数設定欄                  ３１２…Ａｐｐｌｙボタン
３１４…テスト終了ボタン
【図１】
2010103686.tif 000003
【図２】
2010103686.tif 000004
【図３】
2010103686.tif 000005
【図４】
2010103686.tif 000006
【図５】
2010103686.tif 000007
【図６】
2010103686.tif 000008